(57)【要約】  【課題】  容易に取り扱うことができる固定具を提供する。  【解決手段】  固定具１は、バンド部３と、第１係止部５と、第２係止部７と、ロック部材９とを備える。第１係止部５は棒状部材１７を有する。第２係止部７は一対の狭持部３１を有する。ロック部材９は、正面視で正六角形であって、その中心に内壁に雌ネジが形成されたネジ穴３９が形成されている。第１係止部５と第２係止部７とを接近させると、棒状部材１７が一対の狭持部３１の間に挟まれて第１係止部５と第２係止部７とが係止した係止状態となる。ロック部材９を棒状部材１７に深く締めると、ロック部材９が狭持部３１の下端に近接する。第１係止部５と第２係止部７とを離間させるために棒状部材１７を一対の狭持部３１の間から引き抜こうとすると、ロック部材９が第２係止部７と接触することで棒状部材１７が移動することが抑制される。【選択図】図１
2014095460.tif 000002
【特許請求の範囲】
【請求項１】
樹脂製の本体部と、金属製のロック部材と、を備え、
前記本体部は、
バンド部と、
前記バンド部に設けられる第１係止部と、
前記バンド部における前記第１係止部から間隔を空けた位置に設けられ、前記第１係止部と係止可能な第２係止部と、を備え、
前記第１係止部と前記第２係止部とを係止させることで前記バンド部が環状体となるものであり、
前記ロック部材は、前記第１係止部に取り付けられ、前記第１係止部と前記第２係止部との係止の解除を抑制する
ことを特徴とする固定具。
【請求項２】
前記第１係止部は棒状部材を有しており、
前記第２係止部は、前記棒状部材を係止する係止爪を有しており、
前記棒状部材を前記係止爪と係止させることで、前記第１係止部と前記第２係止部との係止を実現する
ことを特徴とする請求項１に記載の固定具。
【請求項３】
前記棒状部材は、外周の一部に雄ネジが形成されており、
前記ロック部材は、内壁に雌ネジが形成されたネジ穴が形成され、前記棒状部材に螺合させることで前記棒状部材への取り付けが可能に形成されており、
前記棒状部材が前記係止爪に係止され、かつ前記ロック部材が前記棒状部材に螺合した状態において、前記ロック部材は、前記棒状部材の前記係止を解除する方向への変位を前記ロック部材が第２係止部と接触することにより抑制する
ことを特徴とする請求項２に記載の固定具。
【請求項４】
前記棒状部材における前記雄ネジよりも先端の部分には貫通孔が形成され、当該貫通孔に紐状部材が通されている
ことを特徴とする請求項２または請求項３に記載の固定具。
【発明の詳細な説明】
【技術分野】
【０００１】
本発明は、長尺部材、筒状部材などを固定する固定具に関する。
【背景技術】
【０００２】
従来、鋼管、配管などの長尺状の筒状部材を所定の位置に固定する固定具として、開閉可能な本体部の内部に配管を配置し、本体部を閉じてボルトとナットにより緊締する固定具が提案されている。
【先行技術文献】
【特許文献】
【０００３】
【特許文献１】特許−３８７０３２９
【特許文献２】特公平０７−０１３３９９
【特許文献３】実登−２５１２８７３
【特許文献４】実開平０２−１０１９４５
【特許文献５】特開平０４−３３３７６０
【特許文献６】特開平１０−２３８１０６
【特許文献７】特開２００６−１７７０４８
【発明の概要】
【発明が解決しようとする課題】
【０００４】
従来の固定具は、ナットを締めることで本体部が閉じられて筒状部材に取り付けられるものであるため、ナットを締めるまでは手などで筒状部材を保持する必要があり、取り付け操作が困難であった。また固定具が金属製であるため、固定すべき筒状部材が加熱した流体などを通す配管である場合には固定具に触れると火傷を負う虞があり、また腐食などの問題もあった。
【０００５】
本発明の目的は、容易に取り扱うことができる固定具を提供することである。
【課題を解決するための手段】
【０００６】
上述した問題を解決するためになされた請求項１に記載の発明は、樹脂製の本体部と、金属製のロック部材とを備える固定具である。前記本体部は、バンド部と、前記バンド部に設けられる第１係止部と、前記バンド部における前記第１係止部から間隔を空けた位置に設けられ前記第１係止部と係止可能な第２係止部とを備え、前記第１係止部と前記第２係止部とを係止させることで前記バンド部が環状体となるものである。前記ロック部材は、前記第１係止部に取り付けられ、前記第１係止部と前記第２係止部との係止の解除を抑制することを特徴とする。
【０００７】
このように構成された固定具は、第１係止部と第２係止部とを係止させることで環状体を形成できるため、ロック部材を所定の位置に取り付ける前において固定具を仮止めすることができ、筒状部材などの取付対象物への固定具の取り付け作業を容易にできる。
【０００８】
また、環状体を構成する本体部が合成樹脂製であるため、主要部分が金属製である固定具と比較して、接触したときに環状体が保持する配管などの温度が伝わりにくく、金属の端面による手などの負傷も発生しにくく、また腐食による損傷を考慮する必要がない。
【０００９】
以上のように、本発明の固定具は非常に容易に取り扱うことができる。
請求項２に記載の発明は、請求項１に記載の固定具において、前記第１係止部は棒状部材を有しており、前記第２係止部は、前記棒状部材を係止する係止爪を有しており、前記棒状部材を前記係止爪と係止させることで、前記第１係止部と前記第２係止部との係止を実現することを特徴とする。
【００１０】
このように構成された固定具は、棒状部材を係止爪に係止させることで固定具の仮止めを実現できる。また、棒状部材を操作することで係止を行うことができるため、容易に操作を行うことができる。
【００１１】
請求項３に記載の発明は、請求項２に記載の固定具において、前記棒状部材は、外周の一部に雄ネジが形成されており、前記ロック部材は、内壁に雌ネジが形成されたネジ穴が形成され、前記棒状部材に螺合させることで前記棒状部材への取り付けが可能に形成されている。そして、前記棒状部材が前記係止爪に係止され、かつ前記ロック部材が前記棒状部材に螺合した状態において、前記ロック部材は、前記棒状部材の前記係止を解除する方向への変位を前記ロック部材が第２係止部と接触することにより抑制する。
【００１２】
このように構成された固定具は、ロック部材を棒状部材に螺合させることによって係止の解除を抑制できる。ロック部材の取り付けがネジによるものであるから、ロック部材を第１係止部に強固に固定することができる。なお、ネジ作用によって部品を組み合わせることを螺合と記載する。
【００１３】
請求項４に記載の発明は、請求項２または請求項３に記載の固定具において、前記棒状部材における前記雄ネジよりも先端の部分には貫通孔が形成され、当該貫通孔に紐状部材が通されていることを特徴とする。
【００１４】
このように構成された固定具は、紐状部材を利用して固定具を壁や柱などの所定の位置に固定することができる。また、紐状部材を利用して複数の固定具を連結して用いることもできる。
【図面の簡単な説明】
【００１５】
【図１】実施例の固定具を示す斜視図である。
【図２】実施例の固定具を示す図であって、（Ａ）が正面図、（Ｂ）が上面図、（Ｃ）が底面図、（Ｄ）が左側面図、（Ｅ）が右側面図である。
【図３】長尺部材に固定具を取り付ける際の説明図であって、（Ａ）が第１係止部と第２係止部の係止前を示す斜視図であり、（Ｂ）が第１係止部と第２係止部の係止後を示す斜視図である。
【図４】長尺部材に固定具を取り付ける際の説明図であって、（Ａ）がロック部材を半固定した状態を示す斜視図であり、（Ｂ）がロック部材を固定した状態を示す斜視図である。
【図５】（Ａ）が紐状部材を取り付けた状態を示す斜視図であり、（Ｂ）が紐状部材により２つの固定具を連結した状態を示す斜視図である。
【図６】（Ａ）が本体部の形状を変えた変形例であり、（Ｂ）がネジを取り付けた変形例である。
【発明を実施するための形態】
【００１６】
以下に本発明の実施形態を図面と共に説明する。
［実施例］
（１）全体構成
本実施例の固定具１は、配管、鋼管などの長尺部材を所定の位置に固定するものであって、図１，図２（Ａ）〜（Ｅ）に示すように、バンド部３と、第１係止部５と、第２係止部７と、ロック部材９とを備える。バンド部３、第１係止部５、および第２係止部７は合成樹脂製であって一体成形されている。ロック部材９は金属製である。バンド部３、第１係止部５、および第２係止部７が本発明の本体部の一例であり、以降これらをまとめて本体部と記載する場合がある。本体部は前後方向に関して対称形である。
【００１７】
バンド部３は、正面視で一部が開放された略リング状であって、当該リングの軸方向（図１，図２（Ａ）における軸Ａ方向）に幅を有する帯状の形状である。バンド部３は間隔を空けた２箇所に厚みの薄い肉薄部１１が形成されており、バンド部３の開口、つまり一方の端部と他方の端部との間の間隙を大きく広げると肉薄部１１が大きく屈曲する。
【００１８】
第１係止部５はバンド部３の一方の端部に設けられており、第２係止部７はバンド部３の他方の端部に設けられる。このように第１係止部５と第２係止部７とは互いにバンド部３において間隔を空けて設けられている。
【００１９】
第１係止部５は、上記軸Ａに沿う方向かつ軸Ａから離れる方向に拡がる第１の平板部材１５と、第１の平板部材１５に連接されており、軸Ａから離れる方向、かつ、第２係止部７の位置する方向に延び出す棒状部材１７とを有している。また第１係止部５には第１の平板部材１５を貫通する第１孔１９が形成されている。第１の平板部材１５は、第２係止部７を向く側が平面状に形成されている。
【００２０】
棒状部材１７は、バンド部３の幅方向の両端、即ち軸Ａ方向の両端から外側に向かってに突出する突出部２１と、突出部２１よりも先端側において、棒状部材１７の外周の一部に形成された雄ネジ２３と、雄ネジ２３よりもさらに先端側において形成された貫通孔２５とを有している。
【００２１】
第２係止部７は、上記軸Ａに沿う方向かつ軸Ａから離れる方向に拡がる第２の平板部材２７と、第２の平板部材２７と交差する方向に長さを有する一対の狭持部３１とを有している。狭持部３１は、第２の平板部材２７における軸Ａから離れる方向の端部において、軸Ａ方向に間隔を空けて配置される。
【００２２】
一対の狭持部３１それぞれの互いに対向する面には、対となる狭持部３１方向に突出する係止爪３３が形成されている。また第２係止部７には第２の平板部材２７を貫通する第２孔３５が形成されている。第２の平板部材２７は第１係止部５を向く側が平面状に形成されている。
【００２３】
ロック部材９は、正面視で正六角形であって、その中心に内壁に雌ネジが形成されたネジ穴３９が形成されたいわゆるナットの形状を有している。このロック部材９は棒状部材１７に取り付けて螺合させることができる。
【００２４】
このような固定具１において、第１係止部５と第２係止部７とが係止しない非係止状態では、本体部の弾性変位を利用してバンド部３の開口幅を変化させることができる。開口を広げて長尺部材２を通過させると、図３（Ａ）に示すように、バンド部３の内部に長尺部材２を収容できる。
【００２５】
そして、第１係止部５と第２係止部７とを接近させると、図３（Ｂ）に示すように、棒状部材１７が一対の狭持部３１の間に挟まれて第１係止部５と第２係止部７とが係止した係止状態となる。
【００２６】
棒状部材１７において突出部２１が形成された部分の幅（一対の突出部２１の先端同士の間隔）は一対の係止爪３３の間隔よりも大きい。よって棒状部材１７を一対の狭持部３１の間に向けて変位させると、係止爪３３の間隔が広くなるように一対の狭持部３１が弾性変形し、突出部２１が係止爪３３を乗り越えると弾性復帰して間隔が元に戻る。この状態では突出部２１と係止爪３３とが係止するため、第１係止部５と第２係止部７との係止が実現される。
【００２７】
なおこの係止状態において、第１の平板部材１５と第２の平板部材２７とは平面同士が重なるように接触しており、また第１の平板部材１５は狭持部３１と接触している。これにより、第１係止部５が第２係止部７に対して相対的に軸Ａから離れる方向に移動して、上記係止が解除されることを抑制している。
【００２８】
上述したように第１係止部５と第２係止部７とを係止させることでバンド部３が閉じた環状体となる。この状態においては上述したように第１係止部５と第２係止部７とが係止しており、わずかな力で環状体が開くことはなく長尺部材２が脱落することが抑制されるが、上述した係止が解除可能である所定以上の荷重を加えた場合には係止が解除される。
【００２９】
上記係止状態において、ロック部材９を棒状部材１７に取り付けた状態を図４（Ａ）、（Ｂ）に示す。雄ネジ２３は棒状部材１７の軸方向に沿った所定の範囲で形成されているため、図４（Ａ）のように先端側にロック部材９が取り付けられている状態ではロック部材９は第１係止部５と第２係止部７との係止について何ら影響を与えない。
【００３０】
しかしながらロック部材９を深く締めると、ロック部材９が狭持部３１の下端（第１の平板部材１５を基準として第２の平板部材２７が位置する方向の端部）に近接する。その結果、第１係止部５と第２係止部７とを離間させるために棒状部材１７を一対の狭持部３１の間から引き抜こうとすると、ロック部材９が第２係止部７と接触することで棒状部材１７が移動することが抑制される。このようにして、ロック部材９により第１係止部５と第２係止部７との係止の解除が抑制される。
【００３１】
なお、上述した棒状部材１７の貫通孔２５には、図５（Ａ）に示すように、紐状部材４１を取り付けることができる。この紐状部材４１を用いて、固定具１を壁面や柱など様々な位置へ配置することができる。また図５（Ｂ）に示すように複数の固定具１同士を連結することもできる。図５（Ｂ）では同一の長尺部材２に取り付けられる固定具１同士を連結する構成を示しているが、もちろん異なる長尺部材２に取り付けられる固定具１同士を連結してもよい。また、紐状部材４１を棒状部材１７の操作に用いることもでき、紐状部材４１によって第１係止部５と第２係止部７とを縛ることで係止の解除を抑制することもできる。
【００３２】
（２）効果
上記実施例の固定具１は、第１係止部５と第２係止部７とを係止させることで本体部による環状体を形成できる。よって、ロック部材９を深く螺合させる前に固定具１を仮止めすることができ、取り付け作業を容易にできる。また、長く突出した棒状部材１７を操作することで係止を行うことで容易に操作を行うことができる。
【００３３】
また、ロック部材９が上述した係止の解除を抑制するが、ロック部材９はネジ止めにより棒状部材１７に固定されるため、ロック部材９が脱落してしまうことが抑制され、固定具１による固定を強固に行うことができる。
【００３４】
またロック部材９は、雄ネジ２３に深く螺合されるときは上述した係止の解除を抑制するが、浅く螺合されるときはそのような機能を発揮しない。よって、ロック部材９を棒状部材１７に螺合させた状態のままバンド部３を開くことができるため、バンド部３を開閉する際にはロック部材９は回転させるだけでよく、またロック部材９を紛失してしまう危険を抑制できる。
【００３５】
また、紐状部材４１を取り付けることで、紐状部材４１が抜け止めとなってロック部材９が棒状部材１７から脱落してしまうことを抑制できる。
また固定具１は本体部が合成樹脂製であるため、主要部分が金属製である固定具と比較して、接触したときに環状体が保持する配管などの温度が伝わりにくく、金属の端面による手などの負傷も発生しにくく、また腐食による損傷を考慮する必要がないため都合がよい。
【００３６】
［変形例］
以上本発明の実施例について説明したが、本発明は、上記実施例に何ら限定されることはなく、本発明の技術的範囲に属する限り種々の形態をとり得ることはいうまでもない。
【００３７】
例えば、上記実施例においては、バンド部３は軸Ａ方向に幅を有する帯状の形状である構成を例示したが、厚さ方向の厚みはどのようなものであってもよく、厚さが幅よりも大きくなるように構成されていてもよい。また軸Ａに沿う面による断面が円形となるものであってもよい。
【００３８】
また、バンド部３は正面視でリング状となる構成を例示したが、そのリングは正円である必要はなく、具体的な形状は特に限定されない。例えば図６（Ａ）に示すように正面視で楕円形であるバンド部３ａを用いる構成であってもよいし、矩形、多角形など、全体として環状体を形成できるものであれば様々な形状とすることができる。
【００３９】
なおバンド部を楕円形または略楕円形とすることで、楕円の短軸よりも直径の大きい配管等を取り付けた場合にバンド部を配管等に密着させることができる。バンド部は合成樹脂製で金属等と比較して柔軟性が高いため、短軸を伸ばすように変形可能であることから、密着可能な配管等の直径の範囲を広くできる。
【００４０】
また、図６（Ｂ）に示すように、ネジ４３を利用してさらに強固に第１係止部５と第２係止部７とを固定するように構成してもよい。ネジ４３は、第１孔１９および第２孔３５を利用して差し込むことが考えられる。第１孔１９および第２孔３５のいずれかにネジ山を形成することでネジ４３を螺合して取り付ける構成であってもよいし、別途ナットを用意して、ネジ４３の頭部とナットにより第１係止部５と第２係止部７とを挟み込むことで取り付ける構成であってもよい。
【００４１】
なお、第１係止部５と第２係止部７とを係止させることで第１孔１９と第２孔３５とが重なるように第１孔１９と第２孔３５とを形成することで、容易にネジ４３を通すことができるようになる。
【００４２】
また、固定具１を配置すべき構造物（図示せず）の柱・梁・壁などにネジ山を設けておけば、ネジ４３を利用して固定具１をそれらに直接固定することもできる。
また貫通孔２５に通される紐状部材４１は、柔軟性の高い素材からなるものであってもよいし、金属などの容易に変形しない素材からなるものであってもよい。また紐状部材４１は図５（Ａ）、（Ｂ）に示すように閉環状となることで貫通孔２５から脱落しないように構成されたものであっても良いし、紐の一端に貫通孔２５よりも大きい抜け止めが設けられて、貫通孔２５からの脱落が抑制されるものであってもよい。なお、紐状部材４１は取り付けない構成であってもよい。
【００４３】
また上記実施例では固定具１を取り付ける対象物を長尺部材２とする使用方法を例示したが、取り付ける対象物は長尺部材に限られず、バンド部３により環状体を形成することで取り付けられる対象物であれば、様々なものに対して使用することができる。
【符号の説明】
【００４４】
１…固定具、２…長尺部材、３，３ａ…バンド部、５…第１係止部、７…第２係止部、９…ロック部材、１１…肉薄部、１５…第１の平板部材、１７…棒状部材、１９…第１孔、２１…突出部、２５…貫通孔、２７…第２の平板部材、３１…狭持部、３３…係止爪、３５…第２孔、３９…ネジ穴、４１…紐状部材、４３…ネジ
【図１】
2014095460.tif 000003
【図２】
2014095460.tif 000004
【図３】
2014095460.tif 000005
【図４】
2014095460.tif 000006
【図５】
2014095460.tif 000007
【図６】
2014095460.tif 000008